(57)【要約】【課題】潜水中に安全性に関する情報を使用者に示し、その情報を非常に簡単に使用者が観察することができるようにするダイビング・ウォッチを提案する。【解決手段】電子ダイビング・ウォッチ（１）は時針（１１）および分針（１２）の両方向駆動手段を備えるアナログ・ディスプレイを備える。本ウォッチは、現行時間の表示針を同様に使用して、潜水に関するデータを表示するダイビング動作モードを有する。より正確には、時針（１１）が、ウォッチの着用者に重要な情報、すなわち上昇中に減圧ステージを遵守する必要がある程、十分に大きな生理的変容を身体が受けていないという情報、または必要であれば行うべき（１回または複数回の）ステージのパラメータを示すために使用される。さらに、液晶スクリーン（１４、１５）が、補完情報を表示するために提供される。【選択図】図１
2004101525.tif 000002
【特許請求の範囲】
【請求項１】
　ダイヤル（５）を載せるクロック・ムーブメントを含む封止ハウジング（２）を備える電子ダイビング・ウォッチ（１）であって、少なくとも第１の目盛り（１６）を備え、前記クロック・ムーブメントが、少なくとも第１のアナログ表示機構（１２）および第２のアナログ表示機構（１１）をそれぞれ制御するモータ手段向けの時間信号を生成することができる電子回路（２２）を備え、前記表示機構が第１の時間動作モードで現行時間を表示するためにダイヤル（５）の上に配置され、本ウォッチがさらに、周囲圧力を表す電気信号を生成し、その信号を前記電子回路（２２）に供給することができる圧力センサ（２１）を備え、ダイビング・ウォッチが、ダイビングの実施に関するデータを表示する第２の動作モード、またはダイビング・モードを少なくとも有し、前記第１の目盛り（１６）が、特に深さを示すように働き、前記電子回路（２２）が、前記ダイビング・モードで、前記第１の目盛り（１６）に関連して深さを示すように第１の表示機構（１２）を制御する第１の手段を備え、前記電子回路が、同様に、連続する減圧アルゴリズムから計算される、潜水からの上昇中にウォッチの着用者が超えられない最小深さをほぼ連続的に決めることができ、かつリアル・タイムで前記第１の目盛り（１６）に関連して超えられない前記深さを示すように前記第２の表示機構（１１）を制御する第２の手段を備えることを特徴とする電子ダイビング・ウォッチ。
【請求項２】
　前記第２の手段がさらに、前記アルゴリズムから計算される、潜水からの上昇中に行うべき少なくとも１つのステージを含む不連続減圧パラメータを決めることができ、ステージが、特にその深さと期間によって決められ、さらに、前記ダイビング・モードで、第１の場合には、前記第１の目盛り（１６）に関連して上昇中に行うべきステージの深さを示し、第２の場合には、ダイバーが再浮上することができることを示すように、前記第２の表示機構（１１）を順次制御することを特徴とする請求項１に記載のウォッチ。
【請求項３】
　前記電子回路（２２）が、特にタイムベースを備え、かつ特に圧力センサ（２１）によって生成される信号から、行うべき前記減圧ステージの当該の深さおよび期間を決める集積回路を備え、前記集積回路がさらに、瞬時深さが、前記ステージの１つに関して決められた深さに等しい値に達して維持されるときの時間間隔の測定を行うことができ、さらに、行われた時間間隔測定値が、前記ステージに関して定義された期間に少なくとも等しい値に達した場合に、次のステージの深さを示すことができるように前記第２の表示機構（１１）を制御することを特徴とする請求項２に記載のダイビング・ウォッチ（１）。
【請求項４】
　少なくとも第１の区域（１８）を備える追加の目盛りを備え、第１の区域（１８）に関連して、前記第２の表示機構（１１）が、通常の状態に対して、ダイビングの実施により身体が生理的変容を受けていることをウォッチ（１）の着用者に示すことができることを特徴とする請求項１から３のいずれかに記載のダイビング・ウォッチ（１）。
【請求項５】
　前記第１の目盛りが、好ましくは前記第１の区域（１８）のものとは異なる外観を有する第２の区域（１９）を備え、前記第２の手段が、前記第２の区域（１９）に関連して、身体がダイビングの実施に関連する重大な生理的変容を受けていることをウォッチの着用者にさらに示すように前記第２の表示機構（１１）を制御することができることを特徴とする請求項４に記載のダイビング・ウォッチ（１）。
【請求項６】
　前記第１および第２の区域（１８、１９）が、上に少なくとも１５度、好ましくは３０度の角度開きを有する扇形部にわたって延び、および前記電子回路（２２）が、ダイビング・モードで、前記第１および第２の区域（１８、１９）に配置された目盛りに関連して超えられない高度を示すように前記第２の表示機構（１１）を制御する追加の手段を備えて、前記高度が、ウォッチの着用者の身体が受けている前記生理的変容に依存していることを特徴とする請求項５に記載のダイビング・ウォッチ（１）。
【請求項７】
　少なくとも１つの制御部材（８、９、１０）を備え、そのムーブメントが、前記電子回路（２２）によって検出されること、およびこれらの電子回路（２２）が、ダイビング・モードで、前記制御部材（８、９、１０）に対する作用に応答して進行中の潜水中に達成される最大深さを示すように少なくとも前記第１の表示機構（１２）を制御することができることを特徴とする前記請求項のいずれかに記載のダイビング・ウォッチ（１）。
【請求項８】
　前記電子回路（２２）が、前記第１の目盛り（１６）に関連して、上昇中に予め決められた期間および深さを有する少なくとも１つのステージを示すように前記第２の表示機構（１１）を制御することができることを特徴とする前記請求項のいずれかに記載のダイビング・ウォッチ（１）。
【請求項９】
　潜水の開始を検出する手段とダイビング・モードを自動的に作動させるための手段を設けたことを特徴とする前記請求項のいずれかに記載のダイビング・ウォッチ（１）。
【請求項１０】
　第１および第２のアナログ表示機構が、それぞれ分針（１２）および時針（１１）であることを特徴とする前記請求項のいずれかに記載のダイビング・ウォッチ（１）。
【請求項１１】
　ダイビングの実施に関する情報の少なくとも第１の部分を特に表示するように少なくとも第１の液晶スクリーン（１４）を制御する追加の手段を備え、その情報が、前記第１の表示機構（１２）および第２の表示機構（１１）によって供給される情報を補完することを特徴とする前記請求項のいずれかに記載のダイビング・ウォッチ（１）。
【請求項１２】
　前記追加の手段が、同様に、ダイビングの実施に関する情報の少なくとも第２の部分を表示するように少なくとも第２の液晶スクリーン（１５）を制御することができ、その情報が、前記第１の表示機構（１２）および第２の表示機構（１１）によって供給される情報を補完することを特徴とする請求項１１に記載のダイビング・ウォッチ（１）。
【請求項１３】
　少なくとも１つの制御部材（８、９、１０）を備えるときに、時間動作モードから、前記制御部材（８）に対する第１の作用に応答して、追加の動作モードまたは履歴モードとなるための手段が設けられ、前記表示機構（１１、１２）がそれぞれ、前記潜水のパラメータに適合する時間および深さの目盛りを用いて、最後の潜水による活動を再生することを特徴とする前記請求項のいずれかに記載のダイビング・ウォッチ（１）。
【請求項１４】
　電子回路が、少なくとも最後の２回の潜水のパラメータを記憶して、制御部材（８、９、１０）に対する少なくとも第１の操作に応答して前記最後の潜水の１つのパラメータを選択し、制御部材（８、９、１０）に対する少なくとも第２の作用に応答して前記対応する履歴モードとなることを特徴とする請求項１３に記載のダイビング・ウォッチ（１）。
【請求項１５】
　電子回路（２２）が、前記履歴モードに関して選択されている前記最後の潜水の識別データを少なくとも表示するように、少なくとも１つの液晶スクリーン（１４、１５）を制御することを特徴とする請求項１１または１２に従属するときの請求項１４に記載のダイビング・ウォッチ（１）。
【請求項１６】
　電子回路（２２）が、ダイビングの実施に関するさらなる情報を表示するように前記液晶スクリーン（１４、１５）を制御することができ、前記情報が、履歴モードで前記表示機構（１１、１２）によって示される情報を補完することを特徴とする請求項１５に記載のダイビング・ウォッチ。
【請求項１７】
　第３のアナログ表示機構（３０）を備え、ウォッチの電子回路が、ダイビング・モードで、前記第１の目盛り（１６）に対して深さに関する情報を示すように前記第３の表示機構を制御することができ、前記情報が、前記第１および第２のアナログ表示機構（１１、１２）によって示される情報を補完することを特徴とする前記請求項のいずれかに記載のダイビング・ウォッチ（１）。
【請求項１８】
　ウォッチの使用者のシリンダ内のガス圧を測定するためのさらなる手段を備え、電子回路が、特に前記ガス圧測定値から、実質的にリアル・タイムで残りのオートノミーを計算し、そこから、使用者が超えられない深さ値を導出することができ、前記電子回路が、前記第１の目盛り（１６）に関して、超えられない前記深さの値を示すように前記第３の表示機構（３）を制御することを特徴とする請求項１７に記載のダイビング・ウォッチ（１）。
【請求項１９】
　前記第３の表示機構（３０）が、時間モードで秒を示すことを特徴とする請求項１７または１８の１つに記載のダイビング・ウォッチ（１）。
【請求項２０】
　アナログ・ディスプレイを有する電子ダイビング・ウォッチで、潜水からの上昇中に行うべき減圧ステージを表示する方法であって、前記ウォッチが、ダイヤル（５）を載せたクロック・ムーブメントと、特に深さを示すように働く少なくとも第１の目盛り（１６）とを含む封止ハウジング（２）を備え、前記クロック・ムーブメントがタイムベースを備え、かつ少なくとも第１のアナログ表示機構（１２）および第２のアナログ表示機構（１１）をそれぞれ制御するモータ手段向けの時間信号を生成することができる電子回路（２２）を備え、前記表示機構が、第１の時間動作モードで現行時間を表示するためにダイヤル（５）の上に配置され、本ウォッチがさらに、周囲圧力を表す電気信号を生成し、前記電子回路（２２）に前記電気信号を供給することができる圧力センサ（２１）を備え、前記電子回路が同様に、メモリ手段（２６、２７）を備え、そこに、特に、減圧アルゴリズムに基づいて得られ、少なくとも１つの減圧ステージの時間および深さを少なくとも決めることができるコンピュータ・プログラムが記憶され、前記電子回路（２２）がさらに、圧力センサ（２１）によって生成される信号を特に処理して、上昇中に行うべき（１回または複数回の）前記ステージの遵守を検証することができ、ダイビング・ウォッチが、ダイビングの実施に関するデータの表示が提供される少なくとも第２の動作モード、またはダイビング・モードを備え、プロセスが特に、
　ａ）潜水を表すときに、前記時間信号に関連して、前記圧力センサ（２１）によって生成される信号を処理するステップと、
　ｂ）前記処理の結果を前記メモリ手段（２６、２７）に送信するステップと、
　ｃ）前記第１の目盛り（１６）に関して深さを示すように、前記第１の表示機構（１２）を実質的にリアル・タイムで制御するステップと、
　ｄ）使用されるアルゴリズムによる前記処理の結果がそれを必要とするときに、上昇中に行うべき少なくとも１つのステージを決めるステップであって、ステージが特に、その深さおよび時間によって決められるステップと、
　ｅ）行うべき第１のステージの深さに対応する第１の目盛り（１６）の指示に対して配置されるように前記第２の表示機構（１１）を制御するステップと、
　ｆ）前記ステージが正確に行われたことを前記処理の結果が示すときに、行うべき少なくとも１つのステージが依然として残っている場合には、次のステージの深さの指示に対して配置され、その後ステップｆ）を再開し、あるいは、検証されたステージが行うべき最後のステージである場合には、ダイヤル（５）に配置された追加の目盛り（１８、１９）に対して配置され、再浮上することができることをダイビング・ウォッチの着用者に示すように前記第２の表示機構（１１）を制御するステップと
を含む方法。
【請求項２１】
　ダイビング・ウォッチが同様に少なくとも１つの液晶スクリーン（１４、１５）を備えるときに、ステップ（ｅ）で、前記スクリーンがさらに、進行中のステージの残り時間を表示し、その時間が前記処理の結果に応じてリアル・タイムで表示されることを特徴とする請求項２０に記載の表示方法。
【請求項２２】
　使用されるアルゴリズムによる前記処理の結果が上昇中に行うべき減圧ステージを決めないとき、コンフォートステージと呼ばれるステージが表示され、その時間および深さが、請求項２０で定義したステップｅ）およびｆ）を再開することによってそれぞれ予め決められた値を有するように企図されていることを特徴とする請求項２０または２１に記載の表示方法。
【発明の詳細な説明】
【技術分野】
【０００１】
　本発明は、ダイビングの実施に専用の機能を備える電子ウォッチに関する。より詳細には、本発明によるダイビング・ウォッチは、ダイヤルが載せられるクロック・ムーブメントを含む封止ハウジングを備えるタイプのものであり、少なくとも第１の目盛りを備え、前記クロック・ムーブメントが、少なくとも第１のアナログ表示機構および第２のアナログ表示機構をそれぞれ制御するモータ手段向けの時間信号を生成することができる電子回路を備え、前記表示機構が、第１の時間動作モードで現行時間を表示するためにダイヤルの上方に配置され、ウォッチがさらに、周囲圧力を表す電気信号を生成し、前記電子回路に前記信号を供給することができる圧力センサを備え、ダイビング・ウォッチが、ダイビングの実施に関するデータの表示が提供される第２の動作モード、すなわちダイビング・モードを少なくとも有する。
【背景技術】
【０００２】
　同様の製品が、従来技術ですでに説明されている。特に、米国特許第４７８３７７２号は、ダイビングの実施に関するデータを表示することができるようにする圧力センサを備えるアナログ電子ウォッチを説明している。これらのデータ、および、例えばアラームなど追加の機能に関する情報は、追加の液晶スクリーン上に表示され、前述したウォッチのダイヤル上に１２タイムベースで配置される。
【０００３】
　どのような場合であれ、説明されている製品で利用可能な情報の性質は、瞬時深さ、進行中の潜水の時間、達成される最大深さのタイプに関する情報に制限される。その結果、安全性の点でのこの情報の使用は、上昇のパラメータ、特に、少なくとも１つの減圧ステージを行う必要が生じる前にユーザが潜っていることができる最大時間の決定を決めるために、独立した減圧テーブルを使用することを必要とする。
【０００４】
　同様に、場合によっては、潜水からの上昇中に行うべき減圧ステージに関する情報が与えられない。さらに、液晶スクリーンの可読性は、その小さなサイズにより、特に水中条件では制限される。
【特許文献１】米国特許第４７８３７７２号
【特許文献２】欧州特許第０５８９３５３号
【特許文献３】米国特許第４８８２６７８号
【特許文献４】米国特許第４９４９０７２号
【発明の開示】
【発明が解決しようとする課題】
【０００５】
　本発明の第１の目的は、潜水中に安全性に関する情報を使用者に示すダイビング・ウォッチを利用可能にすることによって従来技術の前述した欠点を低減することである。
【０００６】
　本発明の別の目的は、前述した情報を非常に簡単に使用者が観察することができるようにするダイビング・ウォッチを提案する、すなわち情報の良好な可読性を有するダイビング・ウォッチを製造することである。
【課題を解決するための手段】
【０００７】
　この目的で、本発明は、特に、前に示したタイプのダイビング・ウォッチであって、
前記第１の目盛りが、特に深さを示すように働くこと、前記電子回路が、前記ダイビング・モードで、前記第１の目盛りに関連して瞬時深さを示すように第１の表示機構を制御するための第１の手段を備えること、前記電子回路が、同様に、実質的に連続する減圧アルゴリズムから計算される、潜水からの上昇中にウォッチの着用者が超えられない最小深さをほぼ連続的に定義することができ、かつ実質的にリアル・タイムで前記第１の目盛りに関連して超えられない前記深さを示すように前記第２のアナログ表示機構を制御することができる第２の手段を備えることを特徴とするダイビング・ウォッチを提供する。
【０００８】
　同様に、電子回路の前記第２の手段がさらに、前記アルゴリズムから計算される、潜水からの上昇中に行うべき少なくとも１つの段階を含む不連続減圧パラメータを定義することができ、段階が、特にその深さおよび期間によって定義され、さらに、前記ダイビング・モードで、第１の場合には、前記第１の目盛りに関連して上昇中に行うべき少なくとも１つの段階の深さを示し、第２の場合には、ダイバーが再浮上することができることを示すように、前記第２の表示機構を順次制御することができることが企図されている。
【０００９】
　潜水からの上昇中に遵守すべき減圧ステージが複数の場合には、当該の深さを順に示すように第２の表示機構を制御するための手段が提供され、これは、本出願で後で詳細に説明する。
【００１０】
　時間を表示するために通常使用されるアナログ表示機構によって深さに関するデータの表示が生成される限り、優れた可読性が保証されることに留意することが重要である。さらに、採用される構造に関して、表示機構の当該の位置の相対的な読取りが可能であり、ある相乗効果を与える。実際、潜水からの上昇中、第２の表示機構は、行うべき最も深い減圧ステージの深さに配置され、第１の表示機構は瞬時深さを示す。
【００１１】
　当該の減圧ステージのパラメータの決定は、体内のガスの減圧の研究に関連する多数の医学的研究に従って得られる様々なアルゴリズムに基づいて生成される。アルゴリズムの選択は、当業者が本発明を理解する、または実施するためにあまり重要ではなく、当業者は、ダイビングの分野で一般に認識される最新のものからアルゴリズムを選択することができる。
【００１２】
　例えば、ＹｏｕｎｔのＶＰＭ（「Ｖａｒｙｉｎｇ　Ｐｅｒｍｅａｂｉｌｉｔｙ　Ｍｏｄｅｌ」）またはＷｉｅｎｋｅのＲＧＢＭ（「Ｒｅｄｕｃｅｄ　Ｇｒａｄｉｅｎｔ　Ｂｕｂｂｌｅ　Ｍｏｄｅｌ」）モデルなど、マイクロバブルを考慮して、Ｈａｌｄａｎｅ、Ｂｕｈｌｍａｎｎのモデル、またはそれらの変形態様の１つに基づくアルゴリズムを使用することができる。
【００１３】
　これらのアルゴリズムはまた、ダイバーの体内で溶解されるガスの減圧を、潜水中に連続的に行うことができるようにする。すなわち、減圧ステージを行わず、上昇の特定の条件を観察する。この目的では、これらのアルゴリズムは、最小圧力を連続的に定義し、そこから、ダイバーが生理的状態に応じた危険にさらされることなく身を置くことができる最小深さを導出することができる。
【００１４】
　したがって、本発明によるウォッチの製造のためにどのタイプのアルゴリズムが採用されても、ダイバーは、２つの表示機構の相対位置を単に読み取ることによって、健康への危険をもたらさない深さに自分がいることを簡単に検証することができる。ダイバーは、上昇中、第１の表示機構の位置が、反時計方向の回転で第２の表示機構の位置を超えて上がってはならないことを念頭に置かねばならない。この読取りは、上に表示機構が位置しているダイヤルに配置された指示の読取りよりも直観的である限り有利である。同様に、この読取りは、１つまたは２つの液晶スクリーン上に表示される、相関させなければならない情報の２つの異なる部分の読取りよりも直観的である。
【００１５】
　一般に、時間動作モードから、自動的にダイビング動作モードとなるための手段が提供される。明らかに、例えばプッシュ・ボタンを押すことによるダイビング動作モードに関する手動タイプの作動を使用することができる。
【００１６】
　本発明の好ましい実施態様では、深さを実質的にリアル・タイムで表示するために分針を制御し、潜水に関する情報、特に、ウォッチの着用者またはダイバーの安全性に関する情報を表示するように時針を制御するための手段が提供される。
【００１７】
　本発明によるウォッチは、好ましくは、時針に関連して、身体が通常状態よりも悪い生理的変容を受けていることをダイバーに示すことができるようにする少なくとも第１の区域を備える第２の目盛りを有し、これらの変容は、ダイビングの実施に関連する。ダイバーが、潜水から上昇した後に海面にいるとき、または潜水の開始点にいるときにこのシナリオが適用され、深さおよび期間に関する潜水の履歴は、上昇中に減圧ステージが行われることを必要としないことは明らかである。
【００１８】
　特に、進行中の潜水後に超えてはならない高度の値をウォッチの着用者に示すために、追加の目盛りの第１の区域に時針を配置するための手段が提供され、この値は、上述した生理的変容に依存する。さらに、第１の区域の端部に対する時針の位置は、潜水中、上昇中の減圧ステージを行う必要が生じるまでの最大残り時間をダイバーがおおまかに見ることができるようにする。
【００１９】
　実際、進行中の潜水が少なくとも約１０時間にわたる最初の潜水であると仮定すると、深さ数メートルよりも下にダイバーが下降しない限り、上昇中に減圧ステージを考慮する必要なく数時間にわたって浸水していることができる。周囲圧力を測定し、これらの圧力測定値を時間にリンクするための手段、およびそこから、アルゴリズムに基づく計算によって、上昇中に減圧ステージを行う必要がない残りの最大時間を導出するための手段が提供される。
【００２０】
　好ましい変形態様では、本発明によるダイビング・ウォッチは、少なくとも１つの外部制御部材と、少なくとも１つの液晶ディスプレイ・スクリーンとを備え、好ましくは２つである。同様に、ダイバーに追加の情報を示すことができるようにこれらの液晶ディスプレイ・スクリーンを制御するための手段が提供され、この情報の性質は、動作モードと共に変化する。
【００２１】
　同様に、時間機能から、制御部材を操作することによってアクセス可能な第３の動作モードまたは履歴モードを実施することが企図されている。履歴モードでは、高速で最後の潜水の１つによる活動を再生するように時針および分針を作動するための手段を提供することができる。同様に、２つの液晶スクリーンで、それぞれ、達成される最大深さ、および潜水の総時間を表示するように提供することができる。
【００２２】
　本発明は、添付図面を参照しながら様々な実施形態の以下の説明を読めばより簡単に理解されよう。
【発明を実施するための最良の形態】
【００２３】
　図１〜３は、好ましい実施形態での本発明によるダイビング・ウォッチ１を示している。このウォッチは、ダイビングの実施に関連する動作モード、すなわちダイビング・モードになっている。これらの図は、時間順に取られた、同じ潜水の異なる段階でのウォッチ１の外観を表す。図１は、潜水のわずかに進んだ段階に対応し、図２は、同じ潜水のより進んだ段階に対応し、図３は、さらに進んだ段階に対応する。
【００２４】
　図１〜３で見られるように、ウォッチ１は、従来のタイプのウォッチに似た形態である。ウォッチ１は、ハウジング２を有し、ハウジング２は、例えば、裏蓋がねじ留めされている、または摩擦によって維持されている中央部を備える金属タイプのものである。ハウジング２は、ブレスレット４の取付けのために設けられたホーン３を備え、特に時計ムーブメント（図示せず）とダイヤル４とを収容して、外周部分に固定ベゼル７を有するガラス蓋６によって上側を閉鎖されている。ベゼルは本体と一体になっている。標準の様式では、外部制御部材が、３つの側部プッシュ・ボタン８、９、１０の形で設けられている。
【００２５】
　時間のアナログ表示のために、ダイヤルにある標準時間目盛りと協働する時針１１および分針１２が設けられている。これらの針１１および１２は、後で述べる他の指示を表示するためにも使用される。
【００２６】
　さらに、ウォッチ１は、好ましくはダイヤル５の透明窓の下に配置され、後で述べる様々な情報を英数字形式で、場合によってはグラフィック形式で表示するように意図された２つの液晶スクリーンまたはディスプレイ（ＬＣＤ）１４、１５を備える。ウォッチがただ１つのＬＣＤスクリーンを備える場合もあり、場合によっては、そのＬＣＤスクリーンが、ダイヤル５の表面全体を実質的にカバーすることは明らかである。
【００２７】
　本発明が、実質的にダイビングの実施に関する情報を提供するために使用される手段に関することを考慮して、ウォッチの他の機能は本明細書で詳細に説明しない。どのような場合であれ、他の機能、例えばクロノグラフ、アラーム、バッテリ寿命終了の表示、時間の無線制御設定、無線によるメッセージの受信（ページング）などを提供することが考えられる。さらに、少なくともＬＣＤスクリーン１４および１５、ならびに場合によってはダイヤル５を照明するために照明手段が設けられ、これらの手段は、例えば、ウォッチの制御部材８、９、または１０の１つに対する操作に応答して作動させられる。
【００２８】
　ベゼル７は、好ましくは０〜７０メートルの深さを示すためにダイビング・モードで使用される特定の目盛り１６を有する。ベゼル７上の深さ０〜１５メートルの表示の間に参照点１７を配置し、この範囲での深さの正確な読取りを容易にしていることに留意されたい。
【００２９】
　ダイヤルはさらに、好ましくは異なる色によって識別される３つの隣接する区域に副分割された追加の目盛りを有する。第１の区域１８は、時計方向で、それぞれ５０分と５７分に対応する時間目盛りの位置の間に延び、第２の区域１９は、５７分と６０分の位置の間で延び、第３の区域２０は、６０分と２５分の位置の間に位置している。この６０分と２５分の位置は、それぞれ深さ０メートルと１５メートルに対応している。
【００３０】
　ダイビングに関する情報を表示するためのこれら様々な指示の使用は、以下に詳細に開示する。
【００３１】
　ウォッチ１は、ダイビングという観点から着用者に関する重大な指示を提供することができる特定の技術手段を備え、これは、図４に関連して後で簡単に説明する。これらの技術手段は、特に、ウォッチ１の周囲の圧力を連続的に測定し、かつその値を、ダイビングに使用するという観点から深さに変換することができるようにする圧力センサ２１を備える。
【００３２】
　このタイプの構成、および圧力センサの測定値を利用するために行われる計算は、従来技術のいくつかの文献で説明されており、以下でより詳細には取り扱わない。特に、前述した米国特許第４７８３７７２号を参照することができ、前述した形態の実施形態が提供されている。
【００３３】
　同様に、本発明によるウォッチ１の構成は、より具体的にはそのムーブメントに関しては、そのようなムーブメントが従来技術ですでに説明されているので、本明細書でより詳細には開示しない。実際、例えば、アナログ電子ウォッチの実施形態を説明する欧州特許第０５８９３５３号を参照することができ、そのウォッチの時針および分針は、個別のモータによって制御される。特に、この欧州特許は、時および分以外の情報を表示するために時針および分針を使用する方法を説明している。
【００３４】
　潜水が開始されるときに、特に時間モードからダイビング・モードと呼ばれる第２の動作モードに変更するように自動的に動作モードの変更を行うために、従来の手段が用いられている。この手段は、逆に、ダイバー、すなわちウォッチ１の着用者が再浮上するときに、ダイビング・モードから自動的に時間モードに復帰することができるようにする。この目的では、例えば、２つのオーム・コンタクト（図示せず）を使用することができ、それぞれのコンタクトが、ウォッチ１のハウジング２の外に出ている部分を有し、それによりこの外部部分が、潜水中に水と接触する。したがって、これら２つのコンタクトは、スイッチを形成して、ウォッチ１が水の外にあるときに開き、水に触れると閉じる。スイッチが閉じると、ダイビング・モードへの変更が自動的に行われる。ウォッチの浸水を検出するための別の可能な実施形態は、ウォッチのガラス内に少なくとも１つの電極を配置し、それにより、ガラスの上面と共に、可変容量を有するコンデンサを形成して、ガラス上の水の存在を検出することができるようにすることである。同様に、今述べたことに関する代替形態で、あるいは補完形態で、ダイビング・モードをロックまたはアンロックするために、圧力センサ２１によって提供される信号の使用が想定できる。この場合、ウォッチの電子回路は、所定値を超える周囲圧力の増加の検出に応答してダイビング・モードとなるように構成することができる。
【００３５】
　明らかに、代替形態または補完形態で、従来タイプの、ダイビング・モードのための手動作動手段を提供することができる。
【００３６】
　これらの自動または手動の手段は、本発明の核心をなさない限り、本特許出願でさらに取り扱わない。
【００３７】
　ダイビング・モードで動作した後、時針１１および分針１２に関連する機能はそれぞれ、特に、進行中の潜水からの上昇中に行うべき取り得るステージに関連する情報の表示、および瞬時深さの表示である。
【００３８】
　したがって、ダイバーが水に入り、ダイビング・モードが作動するとき、２つの針１１および１２はそれぞれ、「最初の潜水」のときに、追加の目盛りの第１の区域１８の開始点、および１２時、すなわち第１の目盛り１６の開始点に配置される。「最初の潜水」とは、ダイバーの身体が、ダイビングの実施による生理的変容を受けていないときに行われる潜水のことであると理解されたい。したがって、この表現は、場合によっては、前の潜水の後、ダイバーの身体が回復する程度の十分長い時間の後に行われる潜水をも含む。
【００３９】
　ダイバーが下降する際、分針１２は、時計方向に回転し始めて、第１の目盛りによって瞬時深さの値を示し、時針１１は、はじめに、追加の目盛りの第１の区域１８に対して時計方向に回転する。
【００４０】
　一般に、上昇中に減圧ステージの実施を必要としない最大残り時間は、はじめ、最初の潜水のときには非常に高い値を示し、この値は、ダイバーが深さ数メートルよりも下降するときに大幅に減少する。時間に応じて周囲圧力を測定し記憶するための手段、および最大残り時間が大幅に減少していることをダイバーに示すために、追加の目盛りの第２の区域１９内で回転するように時針１１を制御するための手段が提供される。
【００４１】
　追加の目盛りの第１の区域１８および第２の区域１９に対する時針１１の位置によって提供される情報の読取りは、健康上の問題が生じる危険がないように、潜水後にダイバーがさらされてもよい最小の周囲圧力の表示に対応する。この表示は、超えられない高度の形で生成され、２つの連続する目盛りが高度５００メートルの間隔に対応する。２５００メートルの高度に対応する目盛りに対して、飛行機を表すシンボルが位置してことに留意されたい。実際、商用飛行中、飛行機の乗客の身体が、高度２０００〜２５００メートル付近に広がる圧力に相当する環境圧力を受けることが確認されている。
【００４２】
　一般に、超えられない最大高度と、上昇中に減圧ステージを行う必要が生じるまでの最大残り時間とは、多少複雑な形で連係している。したがって、ウォッチをプログラムするためにどのようなアルゴリズムが採用されたとしても、ダイバーが数メートル程度の深さよりも下に潜っていると、減圧ステージを行う必要が生じるまでの最大残り時間が徐々に減少し、減少の割合は、深さと共に増大する。他方、ダイバーが深さを減少するように移動すると、最大残り時間はすぐに安定し、次いで増大する。
【００４３】
　超えられない高度がゼロに達するときに残り時間の値がゼロに達することに留意されたい（表面の高度がゼロである海での潜水の場合）。したがって、熟練した使用者は、残り時間の値と、第２の区域１９の端部に関連する時針１１の位置との関係を評価することができる。
【００４４】
　図１に表される状況で、ダイバーは１４メートルの深さにいる。これは、第１の目盛り１６に対する分針１２の位置によって示されている。第１の区域１８に対する時針１１の位置は、この瞬間、超えられない高度が結果として２０００メートル程度であり、身体に重大な生理的変容が生じるので、今行っている潜水後すぐに飛行機で移動することができないことを使用者に示す。
【００４５】
　さらに、ダイバーに追加の情報を供給するためにＬＣＤスクリーン１４および１５が使用されるのが好ましいことを図１で確かめることができる。
【００４６】
　実際、あるステージの前の最大残り時間の正確な値、すなわち例示した状況では１時間１６分を表示するようにスクリーン１４を制御することが、この実施形態で提供される。このようにすると、ダイバーは、追加の目盛りに対する時針１１のおおよその位置を最初に迅速に読み取ることによって自分の状況を評価することができる。どのような場合であれ、ダイバーが、状況に関するより正確な情報、ここでは最大残り時間の正確な値を得たいと望むとき、これはスクリーン１４で同時に得ることができる。
【００４７】
　同様に、スクリーン１５は、通常のダイビング状況で、進行中の潜水の経過時間を表示するために使用され、図１の状況では１７分である。
【００４８】
　ダイバーが上昇する場合、第１の区域１８に対して反時計方向に回転するように時針１１を制御することができ、超えられない高度が徐々に増大していることを示すことに留意されたい。
【００４９】
　最大残り時間がゼロ値を達成すると、上昇中にダイバーによって減圧ステージが行われなければならない。そのような状況は図２に例示されている。
【００５０】
　図２で、本発明によるダイビング・ウォッチ１は、ダイバーに、深さ３５メートルにいること、および進行中の潜水の時間が３３分まで増加したことを示し、この情報は、分針１２およびスクリーン１５によってそれぞれ提供される。時針１１は、第１の目盛り１６と追加目盛りの第３の区域２０に対して、上昇中にさらなる減圧ステージが必要であり、これらのステージの最初の、すなわち最も深いステージが深さ６メートルであることを示す。
【００５１】
　同様に、スクリーン１４の表示が、図１に関して説明したものと異なることに留意されたい。実際、減圧ステージを行う必要が生じるまでの最大残り時間がゼロになるので、それを表示する必要はもはやない。そのため、このとき、スクリーン１４は、ステージを伴う潜水の枠組みで対象となる情報、すなわち行うべき減圧ステージの総時間を表示する。したがって、図２の状況では、ウォッチ１は、行わなければならない減圧ステージの総時間が２５分であることをダイバーに示す。
【００５２】
　明らかに、本発明によるダイビング・ウォッチの電子回路が、圧力センサ２１によって送信されるデータを常に取り扱い、それによりダイバーに供給される情報をほぼリアル・タイムで更新することが企図されている。
【００５３】
　図３は、潜水の最終ステージ、すなわち上昇に対応する状況、特に減圧ステージの監視を示す。
【００５４】
　この図で、ダイバーが深さ６メートルにいること、潜水が５４分続いていることに留意されたい。さらに、時針１１が、分針１２と同様に６メートルの目盛りに対して位置し、これは、ダイバーが、６メートルの深さで減圧ステージを行うプロセス中であることを示す。この場合、スクリーン１４は進行中の減圧ステージの時間を示し、ここでは３分である。
【００５５】
　減圧ステージ中の時針１１および分針１２の重なりは、本発明によるダイビング・ウォッチに有利に寄与する。実際、時針１１が、上昇中に行うべき次の減圧ステージの深さを示し、分針１２が瞬時深さを示すので、ダイバーが位置している深さで減圧ステージを行わなければならないときに、針が論理的に重なる。したがって、ダイバーは、２つの指示針１１と１２の相対位置を迅速かつ簡単に読み取ることによって、ステージを行うのに適切な深さにいることを知る。同様に、迅速な読取り中の針の識別を改善するために様々な当該の外観を有するように時針１１および分針１２を製造することが企図されている。例えば、２つの針に関して異なる色を使用することを考えることができる。同様に、ウォッチのダイヤル５は、ダイヤルに対して、針１１および１２の視認性のためのコントラストを大きくすることができるような外観を有することが好ましい。
【００５６】
　さらに、今述べた有利な配置は、非常に読取り性が高い状態で、安全性に関する非常に重要な情報にダイバーがアクセスできるようにするという追加の利点を提供する。実際、上昇中、第１の減圧ステージの前、または２つの減圧ステージの間に、ダイバーは、時針１１と分針１２の相対位置を評価するために一瞥するだけで、自分の状況を考慮することができる。上昇中、適切な安全性処置を遵守すれば、反時計方向で回転する分針１２は、時針１１の位置に対応するレベルよりも低い深さレベルの位置を決して取らない。そのような状況は、上昇中にダイバーが減圧ステージを遵守しておらず、ダイバーが重大な危険にさらされていることを示す。
【００５７】
　同様に、危険の高まりを順に示すために、異なる色、それぞれ緑、オレンジ、および赤で、追加の目盛りの３つの区域１８、１９、および２０を生成することを企図することができる。
【００５８】
　潜水コンピュータに関して従来技術ですでに述べられているものなど、減圧ステージが遵守されなかった場合にダイバーに警告するために可聴アラームを作動することができる追加の手段を提供できることが明らかである。
【００５９】
　図３に表される状況から開始して、後で簡単に説明するウォッチの電子回路が、ダイバーが６メートルで減圧ステージを正確に行ったことを、適切なプログラムによって、特に、使用される減圧アルゴリズムに基づいて行われる計算によって検出することが企図されている。そのステージが正確に行われると、時針１１は、例えばジャンプ式に、または連続的に３メートルの位置に移動され、推奨される上昇速度を、適合された回転速度によってダイバーに示す。実際、上昇中、ダイバーは、好ましくは一般に毎秒１０メートル程度の制限値未満に上昇速度を制限しなければならないことが、ダイビングの分野で知られている。
【００６０】
　同様に、ウォッチの電子回路が、ダイバーが３メートルでステージを正確に行うのを検証し、その後、分針１１は、追加の目盛りの第２の区域１９の端部に移動され、完全に安全に再浮上することができることをダイバーに示す。
【００６１】
　また、ダイビング・モードは、海面での特定の経過時間の終了時に自動的に停止され、時針１１および分針１２が時間モードで再び通常の機能を行うことも企図することができる。
【００６２】
　例えば時間モードから第１のプッシュ・ボタン１０を押圧することによって作動される第３の動作モードが設けられている。この動作モードでは、分針１２は、最後の潜水中に達成された最大深さをアナログ形式で示し、スクリーン１４は、この最大深さを数値で示し、スクリーン１５は、最後の潜水の総時間を示す。
【００６３】
　さらに、第３の動作モードで、または一般に時間モードからプッシュ・ボタン８〜１０の１つに対する作用に応答して、時針１１が、ダイビングの実施により身体に及ぼされる可能性がある特定の生理的変容に関する情報をダイバーに提供することが企図されている。（１回または複数回の）最後の潜水が最近のものである場合、そのような変容が依然として残っており、このとき時針１１は、これらの変容によりダイバーが超えてはならない高度を示すように、追加の目盛りの第１の区域１８または第２の区域１９に対して位置される。そのような指示は、ダイバーが、潜水を実施した後すぐに飛行機での移動を行いたい場合に特に対象となる。実際、飛行機での移動中にダイバーの身体に及ぼされる圧力低減は、前述の変容が十分に減少していない場合、減圧事故をもたらす可能性がある。したがって、この危険の存在をダイバーに思い出させるために、第１の区域１８に飛行機シンボルが設けられている。したがって、生理的変容が依然として重大であるときに、飛行機による移動をできるようになるまでの残り時間の表示を、先と同様にＬＣＤスクリーン１４、１５の少なくとも１つに設けることができる。変容が再び無視できる程度になった後、時針１１が、第１の区域１８の開始点に対して配置されて、もはや危険がないことをダイバーに示す。この場合、飛行機によって再び移動することができることをウォッチの使用者に示すために、先と同様にＬＣＤスクリーン１４、１５の少なくとも１つに表示することができる。
【００６４】
　次いで、自動的に、または第１のプッシュ・ボタン１０に対する新たな圧力によって行われる時間モードへ復帰させることができる。
【００６５】
　他方、さらに、最初の潜水のパラメータを記憶するための手段を設けることもできる。例えば第１の圧力の後、短い時間間隔での第１のプッシュ・ボタン１０に対する第２の圧力を加えることで、追加の動作モード、すなわち履歴モードとなる。同様に、例えば、ウォッチ１の電子回路が、最後の５回または１０回の潜水の記録またはパラメータを記憶するのに適したメモリを備える。この場合、プッシュ・ボタン８〜１０の１つに対する長い圧力が、時間モードから、最後の潜水のパラメータの履歴モードへ変更させ、同じプッシュ・ボタンに対する短い連続的な圧力によって、所望の潜水の選択が行われ、時間モードへの復帰が、好ましくは自動的に、またはプッシュ・ボタンに対する長い圧力によって再び得られる。この場合、ＬＣＤスクリーン１４、１５は、好ましくは、選択時に作動されて、潜水の開始日時など、選択された潜水の識別を可能にするデータを表示する。同時に、分針および時針をそれぞれ、例えば、選択された潜水中に達成された最大深さ、および前記潜水の期間を表示するように制御することができる。
【００６６】
　当業者が、１つまたは複数の制御部材に対する連続または複合操作など、本発明によるウォッチで実施することを望む制御シーケンスに応じてウォッチをプログラムすることができることは明らかである。
【００６７】
　この履歴モードを実装するために、時針１１および分針１２を、それらが最後の潜水中にそれぞれ示した状況を高速で再生するように制御するための手段が設けられている。例えば、最後の潜水の１分が履歴モードで１秒以内に再生されるようにウォッチの電子回路をプログラムすることができる。
【００６８】
　履歴モードは、安全性の問題で重要な対象となる。これは、ダイビング事故後に呼ばれた医師のための非常に重要な情報を含む最後の潜水のプロフィールの迅速な視覚化を可能にするからである。通常、医師は、潜水コンピュータから、場合によってはパーソナル・コンピュータ・タイプの読取りおよび処理端末へのデータの転送により、潜水・プロフィールの視覚化を行うことができる。本発明による履歴モードは、この情報への迅速なアクセスの点で、現況技術によるデバイスに勝る利点を提供する。
【００６９】
　さらに、本発明によるダイビング・ウォッチ１の可読性に関する前に開示した利点が、同様に、履歴モードの使用にも当てはまる。最後の潜水のプロフィールの視覚化は実際、高速での時針１１および分針１２の配置の観察から非常に簡単である。特に、前述した理由から、特に上昇ステージでの時針１１と分針１２の相対位置を観察することによって、減圧ステージが遵守されなかった可能性を示すことは非常に簡単である。
【００７０】
　他方、同様に、再生された潜水の期間および深さの当該値に応じて時間および深さの目盛りを適合させることができる。そのような対処は、例えば、呼吸装置を用いない潜水に関するパラメータの表示を良好な可読性で可能にする。この場合、表示がリアル・タイムで行われるように、かつ１メートルの深さ変化がダイヤルでの１０分の変化によって表されるように本発明によるウォッチをプログラムすることができる。これらの値は、本明細書では例示のためにのみ与えられており、当業者がそれらを修正するのは特に難しくないことは明らかである。
【００７１】
　明らかに、履歴モードで、ＬＣＤスクリーン１４および１５に、例えば、対応する潜水で達成された最大深さ、または潜水の過程で生じた任意のアラームの詳細など、追加の情報を提供することができる。
【００７２】
　図４は、本発明によるダイビング・ウォッチ１の電子回路の一般的な構造の概略図である。
【００７３】
　一般に、ウォッチの電子回路は、特に、コントローラ回路２３を備える集積回路２２を備えている。コントローラ回路２３は、ウォッチ１の従来の時間機能を駆動させることができ、この目的では、時間の分割のための、特にタイムベースを供給する共振回路２４にリンクされた回路を備える。このタイムベースから、コントローラ回路２３によって時間情報が生成され、特に時間モードの機能、およびダイビング・モードに専用の機能を保証する。
【００７４】
　さらに、コントローラ回路２３は、周囲圧力を表すアナログ電気信号を発生する圧力センサ２１によって生成される信号を受信する。これらの信号は、アナログ・デジタル変換器を通過し、その後、デジタル信号の形でコントローラ回路２３の入力に供給される。
【００７５】
　圧力センサ２１は従来タイプのものであり、当業者が、本発明の実施に適合するものを選択するのは特に難しくない。
【００７６】
　同様に、集積回路２２は、好ましくは不揮発性タイプのメモリ区域、特に第１のメモリ区域２６を備え、これは、コントローラ回路２３が減圧アルゴリズムに基づいてダイビング・モードに関する計算を行うことができるようにするプログラムを含む。再プログラム可能な不揮発性メモリ（例えば、ＦｌａｓｈまたはＥＥＰＲＯＭ）の選択により、場合によっては、採用される減圧アルゴリズムに応じた計算プログラムを後から修正することができる。集積回路２２は、好ましい様式では、同様に不揮発性タイプの第２のメモリ区域２７を少なくとも備え、そこに、コントローラ回路２３によって行われた計算の測定値および結果が定期的に記憶される。この第２のメモリ区域２７は、特に、場合によっては、（１回または複数回の）最後の潜水に関する深さ測定値およびそれに対応する時間測定値を記憶する。したがって、この情報は、コントローラ回路２３によって、特にウォッチが履歴モードにあるときに参照することができる。
【００７７】
　当該の入力信号から、コントローラ回路２３は、ダイビングの実施の観点からダイバーの状況および状態を連続的に求める。この目的では特に、例えば、時間モードで圧力の測定が５分ごとに行われ、ダイビング・モードで圧力の測定が２分ごとに行われるように企図することができる。コントローラ回路２３は、これらの定期的な測定値全てから、第１のメモリ区域２６に記憶されているプログラムに基づいて、ダイバーの生理的な状態を求める。すなわち、特に、体内で溶解される窒素の残留率、生成されるマイクロバブルの量、余剰になると高酸化症をもたらす可能性がある、部分的に上昇した圧力での酸素の吸収の測定に対応するＣＮＳ％など、ダイバーの健康に関連する特定数のパラメータを求める。
【００７８】
　当業者が、ＬＣＤスクリーン１４、１５の少なくとも１つによってこれら関連パラメータを表示することができるようにコントローラ回路２３をプログラムするのは難しくない。この表示は、場合により、その関連性さえよければ自動的でよく、あるいは、１つまたは複数のプッシュ・ボタン８〜１０に対する連続または複合の１つまたは複数の操作によって制御させることもできる。
【００７９】
　減圧アルゴリズムは、好ましくは、コンピュータ・プログラムの形で第１のメモリ区域２６に記憶される。測定および／または計算された情報に基づいてそれを使用することにより、コントローラ回路２３は、ダイバーが上昇中に減圧ステージを行わなければならなくなるまでの、進行中の潜水の最大残り時間の値、および超えられない高度を計算することができる。次いで、コントローラ回路２３は、例えば両方向モータなど両方向駆動手段の制御回路２８に適合信号を送信し、それにより時針１１が、追加の目盛りの２つの区域１８および１９に対して、超えられない高度を表示する。同様に、コントローラ回路は、適合信号をＬＣＤスクリーン１４および１５の制御回路２９に送信し、それにより、例えば図１によれば、ＬＣＤスクリーン１４が、上昇中に減圧ステージを行わなければならなくなるまでの最大残り時間を表示する。さらに、コントローラ回路２３は、両方向モータの制御回路２８に関する適合信号を生成し、それにより分針１２が、ウォッチのベゼル７に配置された第１の目盛り１６に対して瞬時深さを表示する。圧力センサ２１が、周囲圧力の測定を定期的に常に行い、ウォッチの使用者が潜水している、または海面にいることを企図する限り、減圧アルゴリズムに基づいて計算を行うためにコントローラ回路２３に供給されるデータは、結果の満足な精度を保証するのに適したものである。したがって、場合によっては短い間隔で実施される潜水は、先と同様に、ダイバーの生理的な状態を評価するように考慮される。同様に、ウォッチの使用者が、海面よりも高い湖で潜水するために高度の高い場所にいる場合、低い周囲圧力を受けており、進行する飽和していない状態である。したがって、この短時間の上昇中に圧力センサ２３で得られた測定値も、時計のプログラムの利用に組み込まれ、使用されるアルゴリズムは、そのようなパラメータを考慮に入れるので、初めの期間では、周囲圧力に完全には適応していない生理状態が、本発明に従った時計によって初期状態として考慮される。
【００８０】
　このために、本発明によるダイビング・ウォッチの追加の利点が、その設計によって得られる。したがって、潜水コンピュータの場合と異なって、目立たない外観であるため、本時計は、いずれの状況でも、従って継続的に装着することができる。したがって、それのユーザは、計画に注意をまったく払わないで時計を継続的に装着できるので、潜水前に受けた圧力を確実に見守ることを目的として、次の潜水を予想して時計を装着する必要がない。
【００８１】
　このようにして回復される情報またはデータから、コントローラ回路２３は、ダイバーが、生理的状態に応じて受けるであろう最小圧力を計算する。この圧力が、進行中の潜水が行われている水位の表面圧力よりも低いとき、コントローラ回路２３は、減圧ステージを行う必要が生じるまでの最大残り時間に関する値を決める。
【００８２】
　ダイバーが受けるであろう最小圧力が表面圧力よりも大きい逆の場合には、ダイバーは、現在一般に使用されている減圧アルゴリズムにより、上昇中に少なくとも１回の減圧ステージを行わなければならない。したがって、これらの減圧ステージのパラメータ、すなわち当該の深さおよび期間が、使用されるアルゴリズムに基づいてコントローラ回路２３によって計算され、前述したように時針１１によって示される。
【００８３】
　さらに、ウォッチの電子回路は、使用者によるプッシュ・ボタン８〜１０の操作を検出するための従来の手段を備え、これは詳細には説明しない。
【００８４】
　他方、実施の際、各潜水は通常、減圧の現象に関する危険がない場合でさえ、数メートルの深さ、通常は５メートルで、数分間、通常は３分間にわたってコンフォートまたは安全ステージと呼ばれるステージを含まなければならないことに留意されたい。
【００８５】
　好ましい実施形態によれば、メモリ区域２６に記憶されているプログラムは、この安全ステージを監視して、上昇を行うときに、コントローラ回路２３および制御回路２８を介して、時針１１によって、再浮上できるようになるまで予め決められた時間にわたって所定の深さで停止するようにダイバーに示す部分を備えている。
【００８６】
　本発明によるダイビング・ウォッチ１の電子回路の構造は、本発明の核心をなさない限り、より詳細には取り扱わない。さらに、従来技術の文献で多数の実施形態が利用可能であり、当業者がそれらを得るのは難しくない。
【００８７】
　前述したウォッチの有利な変形形態の実施は、第３のアナログ表示機構、好ましくは第３の針の使用によって行うことができる。この構成の取り得る実施形態は図５に例示されており、図５で、針３０は、例として、時間モードで秒を示すように制御される。このとき、この第３の針３０の存在は、有利には、ダイビング・モードでウォッチの使用者に追加の指示を提供するために使用することができる。
【００８８】
　ダイビング・モードでは、例えば、前述したＣＮＳ％から計算されるダイバーが超えられない深さを示すように第３の針３０を制御するように企図することができる。したがって、常に、瞬時深さを示す分針１２が、時針１１と秒針３０との間に位置しなければならない。代替様式または補完様式では、ダイバーが潜水からの上昇を始めるときに、ダイバーが推奨される上昇速度を超えないように、針３０が第１の目盛り１６に関して上昇速度を示すように企図することができる。
【００８９】
　同様に、進行中の潜水に関するオートノミー(autonomy)に関する指示を針３０がダイバーに与える有利な変形形態の実施を企図することができる。この変形形態の実施は、前述した実施形態に関する追加の構成要素の追加を必要とし、構成原理は同じである。したがって、追加の技術要素が図４に例示されている。
【００９０】
　特に、ダイバーのシリンダ内のガス圧を測定するための手段を設けることができ、それにより、特に、対応するオートノミーを計算し、場合によってはＬＣＤスクリーン１４、１５の１つによってそれを表示することができる。これらの手段は従来のものであり、例えば米国特許第４８８２６７８号で説明されている。特に、圧電センサ３１（図４）を使用することができ、圧電センサ３１は、ガス・シリンダの出口に接続されて、その圧力を測定し、アナログ出力信号を送り、出力信号は、後でアナログ・デジタル変換器３２によって処理され、その後、電子回路（図示せず）の入力に供給される。例えば、電子回路は、ワイヤレス変調および送信回路であり、ウォッチ内に配置され、コントローラ回路２３に受信信号を供給することができる受信回路（図示せず）と連絡することができるように企図することができる。ダイバー用の電子デバイスでの送信機受信機システムが米国特許第４９４９０７２号に説明されている。当業者は、前述した２つの特許を参照して、これらの技法の実施の詳細を得ることができ、これは本発明の範囲内ではさらには取り扱わない。
【００９１】
　メモリ区域２６に記憶されている計算プログラムの基礎として働くアルゴリズムは、好ましくは、ほぼリアル・タイムでオートノミーを計算する目的で、ダイバーのシリンダー内のガス圧を得ることを組み込む。代替形態として、特にオートノミーの計算に専用の追加のアルゴリズムを提供することができることが明らかである。
【００９２】
　コントローラ回路２３は、アルゴリズムによってシリンジ内のガス圧を表す信号を処理し、そこから、残りのダイビング時間に関するシリンダのオートノミーを導出する。
【００９３】
　本発明の追加の利点は、残りのダイビング時間がウォッチによって直接表示されないことにより生じる。実際、コントローラ回路２３は、常にアルゴリズムに基づき、残りのダイビング時間に応じて、ウォッチの使用者が接近可能な最大深さを計算する。この計算は、特にダイバーの生理的な状態、すなわち、特に進行中の潜水のパラメータ、および上昇中に遵守しなければならない取り得る減圧ステージの当該の期間を考慮して行われる。さらに、使用者が注意しないことを見越して、残りのダイビング時間の計算中に安全性マージンを提供することが好ましい。例えば、シリンダ内のガス圧の１０％のマージンを使用することができる。すなわち、潜水の過程中に行われる測定からガス圧の初期値の１０％を意図的に差し引くことができる。
【００９４】
　コントローラ回路２３は、得られるガス圧の測定値から、モータ２８の制御回路に適合する信号を生成し、制御回路は、この変形形態では、ダイバーが接近可能な最大深さの値を第１の目盛り１６に関して示すように秒針３０を駆動する第３の両方向モータを制御する。
【００９５】
　したがって、潜水の過程中に、深さを示す分針１２が、減圧のためにダイバーが上昇しなければならない最小深さを示す時針１１と、呼吸ガス・オートノミーのために接近可能な最大深さを示す秒針３０との間に位置しなければならないことをダイバーが知っている限り、新たな相乗効果が得られる。すなわち、分針１２は、下降中に秒針３０を超えてはならず、上昇中に時針１１を超えてはならないと言うことができる。したがって、本発明の変形形態での３つの針の相対位置を比較することによって、ここでも２つの針だけの場合と同様の読取りの簡単さが得られる。
【００９６】
　同様に、ＬＣＤスクリーン１４または１５が、制御回路２９を介してコントローラ回路２３によって制御されるように企図することができ、デフォルトによって、またはプッシュ・ボタン８〜１０の１つに対する作用に応答して、残りのダイビング時間の値を表示する。そのような状況は、図５に例示されており、残り時間の表示は、ＬＣＤスクリーン１５によって生成される。
【００９７】
　特にコントローラ回路２３によって制御される圧電要素３３（図４）など音響送信機を提供することによって、前述の変形形態の任意の形態によるウォッチで、１つまたは複数のアラームの機能を満たすことができる手段を使用することができる。このとき、最大接近可能深さを超える状況、上昇中に最小深さを超える状況、さらには、速すぎる上昇速度など、様々な当該の状況を表示するために様々な動作周波数または信号シーケンスを提供することができる。
【００９８】
　以上の説明は、本発明の好ましい実施形態に対応し、より具体的には、ウォッチに関する説明した構造、説明した機能、使用される制御部材およびＬＣＤスクリーンの性質および数、採用される色、さらには目盛りの配置に関する限り、任意の例で制限を与えるものとみなすべきではない。特に、本発明によるダイビング・ウォッチが、コンパスまたは温度計の機能など追加の機能を備える変形形態が想定可能である。同様に、本発明は、制御回路の適切なプログラムによってこれらのパラメータを修正することができる限り、説明した動作モード、および当該の作動に関して採用される手段に限定されない。当業者が、本発明によるウォッチの機能を自分の必要性に適合させるのは特に難しくない。
【図面の簡単な説明】
【００９９】
【図１】本発明の好ましい実施形態による、第１の状態でのダイビング・ウォッチの前面図である。
【図２】本発明の好ましい実施形態による、第２の状態でのダイビング・ウォッチの前面図である。
【図３】本発明の好ましい実施形態による、第３の状態でのダイビング・ウォッチの前面図である。
【図４】本発明によるダイビング・ウォッチの電子回路の概略図である。
【図５】前の図で表される実施形態の変形形態でのダイビング・ウォッチの前面図である。
【符号の説明】
【０１００】
　１　電子ダイビング・ウォッチ、２　封止ハウジング、５　ダイヤル、８、９、１０　制御部材、１１、１２、３０　アナログ表示機構、１４、１５　液晶スクリーン、１６　目盛り、１８、１９　区域、２２　電子回路、２１　圧力センサ、２６、２７　メモリ手段。
【図１】
2004101525.tif 000003
【図２】
2004101525.tif 000004
【図３】
2004101525.tif 000005
【図４】
2004101525.tif 000006
【図５】
2004101525.tif 000007